(57)【特許請求の範囲】
【請求項１】
ボディと前記ボディに取り付けられるカバーとを有する筐体の内部に外部から、断面形状において外周に凹部を有する光ケーブルと断面形状において円状の光ケーブルの少なくとも一方の光ケーブルを選択的に引き込み保持する光ケーブルの保持構造であって、
前記ボディに取り付けられた弾性部材を備え、
前記ボディに取り付けられた光ケーブルの軸方向に直交する面において、前記光ケーブルの前記ボディへの取付方向と前記弾性部材の弾性方向とが交差し、
前記ボディは、底面部と、一の側面が前記弾性方向において前記弾性部材に対向するように前記底面部から突出して設けられた突出部とを有し、
前記弾性部材は、
前記ボディに取り付けられ前記突出部の方向に弾性を有する基片と、
前記基片との境界が前記ボディに取り付けられた光ケーブルの軸方向に沿って前記一の側面側に凸状となるように当該基片から延設された屈曲片とを有し、
前記凹部を有する光ケーブルに対して、前記弾性方向において前記基片と前記屈曲片との境界が前記凹部に係合し、前記基片および前記屈曲片と前記ボディの前記突出片とで当該凹部を有する光ケーブルを挟持し、
前記円状の光ケーブルに対して、前記弾性方向において前記屈曲片と前記ボディの前記底面部および前記突出部とで当該円状の光ケーブルを挟持する
ことを特徴とする光ケーブルの保持構造。
【請求項２】
前記ボディは、前記ボディに取り付けられた光ケーブルの軸方向と平行し前記一の側面と直交する面での断面形状が尖形状に形成された突起部を前記一の側面上に複数備えることを特徴とする請求項１記載の光ケーブルの保持構造。
【発明の詳細な説明】
【技術分野】
【０００１】
本発明は、光ケーブルの保持構造に関するものである。
【背景技術】
【０００２】
従来、光ケーブルを配線するために用いられるものとして、特許文献１に開示されているような光ファイバー用配線器具がある。上記特許文献１の光ファイバー用配線器具は、光ファイバーケーブル（光ケーブル）の余長部分を巻き取り体に巻回し、上記光ファイバーケーブルを光ファイバー用レセプタクルに接続するものである。
【０００３】
ところが、上記特許文献１の光ファイバー用配線器具は、光ケーブルが外力によって外側に引っ張られたり、内部に引き込まれたりするという問題があった。
【０００４】
上記問題を解決するために、光ケーブルを外部から筐体（器具本体、機器本体）内に引き込むときに、上記光ケーブルを押し込むための凹部を筐体に形成することによって、光ケーブルを固定して保持する光ケーブルの保持構造が開発された。
【特許文献１】特開２００５−７３３６６号公報（第８〜１３頁及び第１〜２０図）
【発明の開示】
【発明が解決しようとする課題】
【０００５】
しかしながら、従来の光ケーブルの保持構造は、光ケーブルの断面の形状及び大きさが決まっている場合では、上記光ケーブルの断面の形状及び大きさに合わせて凹部の幅を設定して形成するので、光ケーブルを固定して保持することができるが、断面の形状や大きさが異なる光ケーブルを保持する場合、各光ケーブルの断面の形状や大きさに対応して光ケーブルを固定して保持することができないという問題があった。
【０００６】
本発明は上記の点に鑑みて為されたものであり、その目的とするところは、断面の形状や大きさの異なる光ケーブルのそれぞれに対応して上記光ケーブルを固定して保持することができる光ケーブルの保持構造を提供することにある。
【課題を解決するための手段】
【０００７】
請求項１に記載の発明は、ボディと前記ボディに取り付けられるカバーとを有する筐体の内部に外部から、断面形状において外周に凹部を有する光ケーブルと断面形状において円状の光ケーブルの少なくとも一方の光ケーブルを選択的に引き込み保持する光ケーブルの保持構造であって、前記ボディに取り付けられた弾性部材を備え、前記ボディに取り付けられた光ケーブルの軸方向に直交する面において、前記光ケーブルの前記ボディへの取付方向と前記弾性部材の弾性方向とが交差し、前記ボディは、底面部と、一の側面が前記弾性方向において前記弾性部材に対向するように前記底面部から突出して設けられた突出部とを有し、前記弾性部材は、前記ボディに取り付けられ前記突出部の方向に弾性を有する基片と、前記基片との境界が前記ボディに取り付けられた光ケーブルの軸方向に沿って前記一の側面側に凸状となるように当該基片から延設された屈曲片とを有し、前記凹部を有する光ケーブルに対して、前記弾性方向において前記基片と前記屈曲片との境界が前記凹部に係合し、前記基片および前記屈曲片と前記ボディの前記突出片とで当該凹部を有する光ケーブルを挟持し、前記円状の光ケーブルに対して、前記弾性方向において前記屈曲片と前記ボディの前記底面部および前記突出部とで当該円状の光ケーブルを挟持することを特徴とする。
【０００８】
この構造では、弾性部材の弾性力を用いて上記弾性部材とボディとで光ケーブルを挟持することができるので、断面の形状や大きさの異なる光ケーブルのそれぞれに対応して上記光ケーブルを固定して保持することができる。
【０００９】
また、この構造では、弾性部材とボディとで挟持されている光ケーブルが筐体から外部に飛び出すことを低減することができるとともに、光ケーブルの保持を感触で確認することができる。
【００１０】
請求項２に記載の発明は、請求項１に記載の発明において、前記ボディは、前記ボディに取り付けられた光ケーブルの軸方向と平行し前記一の側面と直交する面での断面形状が尖形状に形成された突起部を前記一の側面上に複数備えることを特徴とする。この構造では、突起部が光ケーブルに接触することによって光ケーブルをより強く挟持することができるので、光ケーブルを抜けにくくすることができる。
【発明の効果】
【００１１】
本発明によれば、断面の形状や大きさの異なる光ケーブルのそれぞれに対応して上記光ケーブルを固定して保持することができる。
【発明を実施するための最良の形態】
【００１２】
（実施形態１）
本発明の実施形態１について図１〜５を用いて説明する。図１，２は、実施形態１の光成端ボックスを示す図である。図３は、上記光成端ボックスの内部を示す図である。図４は、実施形態１の押さえばねを示す図である。図５，６は、上記光成端ボックスに光ケーブルを引き込んだ状態を示す図である。
【００１３】
まず、実施形態１の基本的な構成について説明する。実施形態１の光成端ボックスは、光ケーブルを外部からボディ内に引き込み保持し、上記光ケーブルを成端するものであり、図１に示すように、ボディ１と、カバー２と、４つの押さえばね３，３ａ，３ｂ，３ｃと、レセプタクル４と、送り用カバー５と、磁石６とを備えている。上記光成端ボックスは、例えば造営物の壁面などに設置されている。光成端ボックスの寸法は、一例として、図２に示すように、上下方向ａが１２０ｍｍ、左右方向ｂが７０ｍｍ、上側の高さｃが２４ｍｍである。なお、上記光成端ボックスの寸法は上記に限定されるものではなく、用途に応じて適宜設定されるものである。
【００１４】
実施形態１では、光ケーブルとして２心の光ケーブル７（図５（ｂ）参照）を用いる。２心の光ケーブル７は、２本の心線７１，７１（図５（ｂ）参照）を平行にして内部に収納したものであり、心線７１間には１対の凹部７０（図５（ｂ）参照）が形成されている。
【００１５】
ボディ１は、図３（ａ）に示すように、例えば樹脂成形などによって形成されたものであり、底面部１０と、突出部１１，１２，１３，１４，１５とを一体に備えている。底面部１０は、略長方形状に形成されたものである。上記底面部１０には、だるま状の貫通孔１００が上方に形成され、円状の貫通孔１０１が下方に形成されている。貫通孔１００の上側の円と貫通孔１０１との中心間の距離ｄは８３．５ｍｍである。また、底面部１０には、逆凸形状の嵌合孔１０２が上方に形成され、長方形状の嵌合孔１０３が下方に形成されている。嵌合孔１０２，１０３は、磁石６が収納された後述の磁石カバー６０（図１参照）の突片６００，６０１と嵌合している。
【００１６】
突出部１１は、図３（ｂ）に示すように、底面部１０の右方から前面側（図３（ｂ）の左下側）に突出して設けられたものであり、ボディ１の内面部を構成している上側面１１０に複数の突起部１１１・・・を備えている。各突起部１１１は、図３（ａ）に示すように、光ケーブル７の軸方向（図３（ａ）の左右方向）と平行し上側面１１０と直交する面での断面形状が略二等辺三角形状に形成されたものである。つまり、各突起部１１１は、尖形状に形成されたものである。突出部１１の段面は図３（ｃ）に示している。同様に、突出部１２は、図３（ｂ）に示すように、底面部１０の左方から前面側に突出して設けられたものであり、ボディ１の内面部を構成している上側面１２０に複数の突起部１２１・・・を備えている。各突起部１２１は、図３（ａ）に示すように、光ケーブル７の軸方向（図３（ａ）の左右方向）と平行し上側面１２０と直交する面での断面形状が略二等辺三角形状に形成されたものである。つまり、各突起部１２１は、尖形状に形成されたものである。また、突出部１３は、図３（ｂ）に示すように、底面部１０の上方から前面側に突出して設けられたものであり、ボディ１の内面部を構成している左側面１３０及び右側面１３１のそれぞれに複数の突起部１３２・・・（図３（ａ）参照），１３３・・・を備えている。各突起部１３２，１３３は、図３（ａ）に示すように、光ケーブル７の軸方向（図３（ａ）の上下方向）と平行し左側面１３０及び右側面１３１と直交する面での断面形状が略二等辺三角形状に形成されたものである。つまり、各突起部１３２，１３３は、尖形状に形成されている。
【００１７】
突出部１４は、図３（ｂ）に示すように、底面部１０の右上方から前面側（図３（ｂ）の左下側）に突出して設けられたものであり、押さえばね３，３ｃを取り付けるための係合部１４０，１４１を下方及び左方に備えている。同様に、突出部１５は、底面部１０の左上方から前面側に突出して設けられたものであり、押さえばね３ａ，３ｂを取り付けるための係合部１５０，１５１を下方及び右方に備えている。
【００１８】
また、ボディ１は、図１に示すように、底面部１０から突出して設けられた断面略楕円状で略筒状の壁面部１６ａ，１６ｂと、収納部１７ａ，１７ｂ（図１参照）とを備えている。各壁面部１６ａ，１６ｂは、外周面が光ケーブル７（図５（ａ）参照）の許容最小曲率半径以上の曲率半径を有し、光ケーブル７の心線７１（図５（ａ）参照）の余長部分を上記外周面の一部に沿わせるものである。上記心線７１の余長部分が長い場合、心線７１の余長部分を壁面部１６ａ，１６ｂに巻回することもできる。これにより、外部からの張力などによって光ケーブル７がボディ１内で許容最小曲率半径より小さな曲率半径で曲げられることを防止することができる。また、各壁面部１６ａ，１６ｂは、先端部に複数の突片１６０，１６１を備えている。一方、収納部１７ａにはレセプタクル４が収納され、収納部１７ｂには送り用カバー５が収納される。
【００１９】
さらに、ボディ１には、下方に凹部１８ａ，１８ｂ及び貫通孔１８ｃが形成され、左下方及び右下方に係合溝１９，１９が形成されている。上記貫通孔１８ｃからは後述のレセプタクル４のプラグ接続部４１と接続しない光ケーブル７ａ（図６（ａ）参照）が引き出される。
【００２０】
カバー２は、例えば樹脂成形などによって形成されたものであり、前面部２０と、前面部２０の上方から延設された上面部２１と、前面部２０の左方から延設された左側面部２２（図２（ｃ）参照）と、前面部２０の右方から延設された右側面部２３とを一体に備え、ボディ１とともに筐体を構成する。前面部２０は、図２（ａ）に示すように、ボディ１の底面部１０（図２（ｆ）参照）と略同じ大きさの略長方形状に形成されたものである。上記前面部２０の上方と下方の略中間付近には、段差部２００が形成されている。段差部２００は、カバー２をボディ１から取り外すときに、下方から上方に押される。これにより、カバー２をボディ１から容易に取り外すことができる。上面部２１には、図２（ｂ）に示すように、凹部２１０が左方に形成され、凹部２１１が右方に形成されている。左側面部２２には、図２（ｃ）に示すように、凹部２２０が上方に形成されている。右側面部２３には、図２（ｄ）に示すように、凹部２３０が上方に形成されている。また、左側面部２２及び右側面部２３は、それぞれ下方の内面部に係合片（図示せず）を備えている。各係合片は、カバー２をボディ１に取り付けるときにボディ１の係合溝１９（図１参照）と係合する。より具体的に説明すると、まず、カバー２をボディ１の上方から下方に平行移動させる。カバー２の係合片がボディ１の係合溝１９まで到達し、さらに下方に平行移動させると、係合片と係合溝１９が係合する。
【００２１】
押さえばね３は、図４（ａ）に示すように、例えば金属材料などによって形成された弾性部材であり、基片３０と、基片３０の一端部３００から延設された屈曲片３１とを一体に備えている。基片３０は、図４（ｂ），（ｃ）に示すように、他端部３０２の一部が切り起こされて設けられた切り起こし部３０１を備えている。切り起こし部３０１は、図３（ｃ）に示すように、突出部１４の係合部１４０に係合するものである。これにより、基片３０は、突出部１１の上側面１１０と対向して取り付けられることになる。また、基片３０は、図４（ｂ）に示すように、一端部３００と他端部３０２との中間部が撓むように略逆Ｕ字状に形成され、上側面１１０の方向（図３（ｃ）の上下方向）に弾性を有する。さらに、基片３０の一端部３００と他端部３０２との略中間部には、図４（ｄ）に示すように、略長方形状の貫通孔３０３が形成されている。一方、屈曲片３１は、図４（ａ）に示すように、基片３０との境界が光ケーブル７の軸方向（図５（ａ）の左右方向）に沿って上側面１１０側（図５（ａ）の下側）に凸状となるように基片３０の一端部３００から延設されている。このような構成の押さえばね３は、弾性力によって光ケーブル７をボディ１とで挟持する（図５参照）。なお、押さえばね３ａ〜３ｃは、押さえばね３と同様のものである。
【００２２】
レセプタクル４は、図１に示すように、ＳＣ用の光ケーブルの接続端子であり、ハウジング４０と、１対のプラグ接続部４１，４１とを備え、ボディ１の収納部１７ａに収納保持される。ハウジング４０は、例えば樹脂成形などによって形成されたものであり、底面部４００（図２（ｅ）参照）と、２対の側面部４０１，４０２とを一体に備えている。底面部４００には、図２（ｅ）に示すように、２つのプラグ接続口４０３，４０３が形成されている。レセプタクル４がボディ１に収納された状態において、各プラグ接続口４０３は、ボディ１の凹部１８ａを介して外部に面している。また、ハウジング４０には、図１に示すように、２つの開口部４０４，４０４が形成されている。一方、プラグ接続部４１は、光ケーブル用プラグ８０（図６（ａ）参照）を差し込むためのものである。上記プラグ接続部４１に光ケーブル用プラグ８０が差し込み接続されることによって、光ケーブル用プラグ８０に接続されている光ケーブル８（図６（ａ）参照）と光ケーブル７（図６（ａ）参照）との間が光結合されるようになる。
【００２３】
送り用カバー５は、例えば樹脂成形などによって箱状に形成されたものであり、底面部５０と、上面部５１と、下面部５２と、左側面部５３と、右側面部５４と、仕切壁５５とを一体に備え、ボディ１の収納部１７ｂに収納保持される。また、送り用カバー５には、仕切壁５５によって２つの開口部５６，５７が形成されている。
【００２４】
磁石６は、図２（ｆ）に示すように、略直方体状に形成され、光成端ボックスを金属部材などに取り付ける場合に用いられるものであり、磁石カバー６０に収納されている。上記磁石６が収納された磁石カバー６０の突片６００，６０１がボディ１の嵌合孔１０２，１０３に嵌合することによって、磁石６は、ボディ１の底面部１０に取り付けられる。
【００２５】
次に、実施形態１の光成端ボックスに２心の光ケーブル７を取り付ける方法について説明する。まず、図５（ａ）に示すように、光ケーブル７の心線７１，７１の先端部をレセプタクル４のプラグ接続部４１，４１に接続する。続いて、光ケーブル７の心線７１，７１の余長部分をボディ１の壁面部１６ａ，１６ｂに略Ｓ字状に沿わせる。最後に、図５（ｂ），（ｃ）に示すように、押さえばね３の基片３０と屈曲片３１の境界を光ケーブル７の凹部７０に係合して、ボディ１の突出部１１に設けられた複数の突起部１１１と押さえばね３とで光ケーブル７を挟持して保持する。図６では、さらに、他の光ケーブル７ａを貫通孔１８ｃ（図１参照）に通し、押さえばね３ｂの基片３０と屈曲片３１（図５（ｂ）参照）との境界を他の光ケーブル７ａの凹部７０ａに係合して、ボディ１の突出部１３の突起部１３２（図５（ａ）参照）と押さえばね３ｂとで他の光ケーブル７ａを挟持して保持する。
【００２６】
なお、上記では、光ケーブル７，７ａを右方及び左上方から引き込む場合について説明したが、左方又は右上方から引き込む場合も押さえばね３ａ，３ｃを用いて同様の方法で行うことができる。
【００２７】
以上、実施形態１によれば、押さえばね３，３ａ〜３ｃの弾性力を用いて上記押さえばね３，３ａ〜３ｃとボディ１とで光ケーブル７を挟持することができるので、断面の形状や大きさの異なる光ケーブル７のそれぞれに対応して上記光ケーブル７を固定して保持することができる。また、押さえばね３，３ａ〜３ｃの基片３０と屈曲片３１との境界が光ケーブル７の軸方向に沿って凸状となっているので、押さえばね３，３ａ〜３ｃとボディ１とで挟持されている光ケーブル７がボディ１から外部に飛び出すことを低減することができるとともに、光ケーブル７の保持を感触で確認することができる。
【００２８】
さらに追加して、ボディ１の突出部１１，１２，１３に設けられた複数の突起部１１１，１２１，１３２，１３３が光ケーブル７に接触することによって光ケーブル７をより強く挟持することができるので、光ケーブル７を抜けにくくすることができる。
【００２９】
（実施形態２）
本発明の実施形態２について図７を用いて説明する。図７は、実施形態２の光成端ボックスに光ケーブルを引き込んだ状態を示す図である。
【００３０】
実施形態２の光成端ボックスは、実施形態１の光成端ボックス（図１参照）と同様のものであるが、実施形態１と異なる点として、図７に示すように、単心の光ケーブル７ｂを引き込んでいる。光ケーブル７ｂは、１本の心線（図示せず）を内部に収納したものである。
【００３１】
次に、実施形態２の光成端ボックスに単心の光ケーブル７ｂを取り付ける方法について説明する。まず、光ケーブル７ｂの心線の先端部（図示せず）をレセプタクル４のプラグ接続部４１（図３（ａ）参照）に接続する。続いて、光ケーブル７ｂの心線の余長部分（図示せず）をボディ１の壁面部１６ａ，１６ｂ（図３（ａ）参照）に略Ｓ字状に沿わせる。最後に、図７に示すように、押さえばね３の屈曲片３１と、ボディ１の突出部１１の上側面１１０及び底面部１０とで光ケーブル７ｂを挟持して保持する。
【００３２】
なお、上記では、光ケーブル７ｂを右方（図７の手前）から引き込む場合について説明したが、左方、左上方又は右上方から引き込む場合についても同様の方法で行うことができる。
【００３３】
以上、実施形態２によれば、２心の光ケーブルだけでなく、単心の光ケーブル７ｂも固定して保持することができる。
【００３４】
（実施形態３）
本発明の実施形態３について図８，９を用いて説明する。図８は、実施形態３の光成端ボックスを示す図である。図９は、上記光成端ボックスに光ケーブルを引き込んだ状態を示す図である。
【００３５】
実施形態３の光成端ボックスは、実施形態１の光成端ボックス（図１参照）と同様に、ボディ１と、カバー２と、押さえばね３と、レセプタクル４と、磁石６とを備えているが、実施形態１の光成端ボックスにはない以下に記載の特徴部分がある。
【００３６】
実施形態３の光成端ボックスは、実施形態１の送り用カバーに代えて、図８に示すようなレセプタクル４ａを備えている。なお、レセプタクル４ａは、レセプタクル４と同様のものである。
【００３７】
次に、実施形態３の光成端ボックスに２心の光ケーブル７を取り付ける方法について説明する。まず、実施形態１と同様にして、図５（ａ）に示すように、光ケーブル７の心線７１，７１の先端部をレセプタクル４のプラグ接続部４１，４１に接続し、心線７１，７１の余長部分をボディ１の壁面部１６ａ，１６ｂに略Ｓ字状に沿わせ、ボディ１の突出部１１の上側面１１０と押さえばね３とで光ケーブル７を挟持して保持する。これとは別に、光ケーブル７ａ（図９（ａ）参照）の心線の先端部をレセプタクル４ａのプラグ接続部に接続する。続いて、光ケーブル７ａの心線の余長部分をボディ１の壁面部１６ａ，１６ｂの左方に沿わせる。最後に、押さえばね３ｂの基片３０と屈曲片３１との境界を一方の光ケーブル７ａの凹部７０ａ（図９（ｂ）参照）に係合して、ボディ１の突出部１３の左側面１３０と押さえばね３ｂとで光ケーブル７ａを挟持して保持する。
【００３８】
なお、上記では、光ケーブル７，７ａを右方及び左上方から引き込む場合について説明したが、左方又は右上方から引き込む場合についても同様の方法で行うことができる。
【００３９】
以上、実施形態３によれば、実施形態１と同様の効果を得ることができるとともに、２つのレセプタクル４，４ａによって、図９（ａ）に示すように、２つの光ケーブル７，７ａを４つの光ケーブル８，８，８，８に分線することができる。
【００４０】
なお、実施形態１〜３では光成端ボックスを例に出して説明しているが、本発明を実施するにあたって、必ずしも光ケーブルを成端させる必要はなく、実施形態１〜３の変形例として、光ケーブルを成端させない器具又は機器であってもよい。このような器具又は機器であっても、本発明の実施には何ら問題がなく、実施形態１〜３と同様の効果を得ることができる。
【図面の簡単な説明】
【００４１】
【図１】本発明による実施形態１の光成端ボックスの分解斜視図である。
【図２】同上の光成端ボックスであって、（ａ）は正面図、（ｂ）は上面図、（ｃ）は左側面図、（ｄ）は右側面図、（ｅ）は下面図、（ｆ）は背面図である。
【図３】同上の光成端ボックスの内部であって、（ａ）は正面図、（ｂ）は要部の斜視図、（ｃ）は（ａ）のＡ−Ａ断面図である。
【図４】同上の光成端ボックスの押さえばねであって、（ａ）は斜視図、（ｂ）は断面図、（ｃ）は上面図、（ｄ）は背面図である。
【図５】同上の光成端ボックスに光ケーブルを引き込んだ内部状態であって、（ａ）は正面図、（ｂ）は要部の斜視図、（ｃ）は（ａ）のＢ−Ｂ断面図である。
【図６】同上の光成端ボックスに光ケーブルを引き込んだ状態であって、（ａ）は外観正面図、（ｂ）は外観右側面図である。
【図７】本発明による実施形態２の光成端ボックスに光ケーブルを引き込んだ内部状態の要部の断面図である。
【図８】本発明による実施形態３の光成端ボックスの下面図である。
【図９】同上の光成端ボックスに光ケーブルを引き込んだ状態であって、（ａ）は外観正面図、（ｂ）は外観右側面図である。
【符号の説明】
【００４２】
１  ボディ
１１，１２，１３  突出部
１１０，１２０  上側面
１３０  左側面
１３１  右側面
１６ａ，１６ｂ  壁面部
３，３ａ〜３ｃ  押さえばね
３０  基片
３１  屈曲片
４  レセプタクル
４１  プラグ接続部
【図１】
0004407642.tif 000002
【図２】
0004407642.tif 000003
【図３】
0004407642.tif 000004
【図４】
0004407642.tif 000005
【図５】
0004407642.tif 000006
【図６】
0004407642.tif 000007
【図７】
0004407642.tif 000008
【図８】
0004407642.tif 000009
【図９】
0004407642.tif 000010